(57)【特許請求の範囲】
【請求項１】
基地局におけるワイヤレス通信の方法であって、
同期信号(SS)ブロックインデックスの少なくとも一部分を含むSSブロックインデックス部分に基づいてスクランブルされた情報をユーザ機器(UE)から受信するステップであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、ステップと、
前記SSブロックインデックス部分に基づいて、前記スクランブルされた情報をデスクランブルするステップと
を備える、方法。
【請求項２】
前記情報のためのアップリンクグラントを前記UEに送信するステップをさらに備え、前記アップリンクグラントが前記SSブロックインデックスと関連付けられている、請求項1に記載の方法。
【請求項３】
基地局におけるワイヤレス通信の方法であって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信するステップと、
前記SSブロックインデックス部分に少なくとも基づいてスクランブルされた情報を前記UEから受信するステップであって、
前記スクランブルされた情報が、データまたは制御情報のうちの少なくとも1つを含む、ステップと、
前記SSブロックインデックス部分に基づいて、前記スクランブルされた情報をデスクランブルするステップと
を備える、方法。
【請求項４】
ユーザ機器(UE)におけるワイヤレス通信の方法であって、
同期信号(SS)ブロックと関連付けられるSSブロックインデックスを決定するステップと、
前記決定されたSSブロックインデックスの少なくとも一部分に基づいて情報をスクランブルするステップであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、ステップと、
前記スクランブルされた情報を基地局に送信するステップと
を備える、方法。
【請求項５】
前記基地局からアップリンクグラントを受信するステップをさらに備え、前記SSブロックインデックスが前記アップリンクグラントに基づいて決定される、請求項4に記載の方法。
【請求項６】
同期信号(SS)ブロックインデックスを示す情報を前記基地局から受信するステップをさらに備える、請求項4に記載の方法。
【請求項７】
前記情報をスクランブルする前記ステップが、前記SSブロックインデックスの少なくとも一部分に少なくとも一部基づいているシーケンス初期化に基づいてスクランブリングシーケンスを生成するステップを備え、スクランブリングの前の前記情報には、符号化と符号化解除のうちの少なくとも1つが行われ、スクランブリングの前の前記情報は、前記生成されたスクランブリングシーケンスに基づいてスクランブルされる、請求項4に記載の方法。
【請求項８】
ワイヤレス通信のための装置であって、前記装置が基地局であり、
メモリと、
前記メモリに結合された少なくとも1つのプロセッサと
を備え、前記少なくとも1つのプロセッサが、
同期信号(SS)ブロックインデックスの少なくとも一部分を含むSSブロックインデックス部分に基づいてスクランブルされた情報をユーザ機器(UE)から受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分に基づいて、前記スクランブルされた情報をデスクランブルすることと
を行うように構成される、装置。
【請求項９】
前記少なくとも1つのプロセッサがさらに、前記情報のためのアップリンクグラントを前記UEに送信するように構成され、前記アップリンクグラントが前記SSブロックインデックスと関連付けられている、請求項8に記載の装置。
【請求項１０】
ワイヤレス通信のための装置であって、前記装置が基地局であり、
メモリと、
前記メモリに結合された少なくとも1つのプロセッサと
を備え、前記少なくとも1つのプロセッサが、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信することと、
前記SSブロックインデックスの前記少なくとも一部分を含む前記SSブロックインデックス部分に基づいてスクランブルされた情報を前記UEから受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分の少なくとも一部分に基づいて、前記スクランブルされた情報をデスクランブルすることと
を行うように構成される、装置。
【請求項１１】
ワイヤレス通信のための装置であって、前記装置がユーザ機器(UE)であり、
メモリと、
前記メモリに結合された少なくとも1つのプロセッサと
を備え、前記少なくとも1つのプロセッサが、
同期信号(SS)ブロックと関連付けられるSSブロックインデックスを決定することと、
前記決定されたSSブロックインデックスの少なくとも一部分に基づいて情報をスクランブルすることであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、スクランブルすることと、
前記スクランブルされた情報を基地局に送信することと
を行うように構成される、装置。
【請求項１２】
前記少なくとも1つのプロセッサがさらに、前記基地局からアップリンクグラントを受信するように構成され、前記SSブロックインデックスが前記アップリンクグラントに基づいて決定される、請求項11に記載の装置。
【請求項１３】
前記少なくとも1つのプロセッサがさらに、同期信号(SS)ブロックインデックスを示す情報を前記基地局から受信するように構成される、請求項11に記載の装置。
【請求項１４】
前記少なくとも1つのプロセッサが、前記SSブロックインデックスの少なくとも一部分に少なくとも一部基づいているシーケンス初期化に基づいてスクランブリングシーケンスを生成することによって、前記情報をスクランブルするように構成され、スクランブリングの前の前記情報には、符号化と符号化解除のうちの少なくとも1つが行われ、スクランブリングの前の前記情報は、前記生成されたスクランブリングシーケンスに基づいてスクランブルされる、請求項11に記載の装置。
【請求項１５】
ワイヤレス通信の装置であって、
同期信号(SS)ブロックインデックスの少なくとも一部分を含むSSブロックインデックス部分に基づいてスクランブルされた情報をユーザ機器(UE)から受信するための手段であって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、手段と、
前記SSブロックインデックス部分に基づいて、前記スクランブルされた情報をデスクランブルするための手段と
を備える、装置。
【請求項１６】
前記情報のためのアップリンクグラントを前記UEに送信するための手段をさらに備え、前記アップリンクグラントが前記SSブロックインデックスと関連付けられている、請求項15に記載の装置。
【請求項１７】
ワイヤレス通信の装置であって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信するための手段と、
前記SSブロックインデックス部分に少なくとも基づいてスクランブルされた情報を前記UEから受信するための手段であって、
前記スクランブルされた情報が、データまたは制御情報のうちの少なくとも1つを含む、手段と、
前記SSブロックインデックス部分に基づいて、前記スクランブルされた情報をデスクランブルするための手段と
を備える、装置。
【請求項１８】
ワイヤレス通信の装置であって、前記装置がユーザ機器(UE)であり、
前記UEにおいて、同期信号(SS)ブロックと関連付けられるSSブロックインデックスを決定するための手段と、
前記UEにおいて、前記決定されたSSブロックインデックスの少なくとも一部分に基づいて情報をスクランブルするための手段であって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、手段と、
前記スクランブルされた情報を基地局に送信するための手段と
を備える、装置。
【請求項１９】
前記基地局からアップリンクグラントを受信するための手段をさらに備え、前記SSブロックインデックスが前記アップリンクグラントに基づいて決定される、請求項18に記載の装置。
【請求項２０】
同期信号(SS)ブロックインデックスを示す情報を前記基地局から受信するための手段をさらに備える、請求項18に記載の装置。
【請求項２１】
前記情報をスクランブルするための前記手段が、前記SSブロックインデックスの少なくとも一部分に少なくとも一部基づいているシーケンス初期化に基づいてスクランブリングシーケンスを生成し、スクランブリングの前の前記情報には、符号化と符号化解除のうちの少なくとも1つが行われ、スクランブリングの前の前記情報は、前記生成されたスクランブリングシーケンスに基づいてスクランブルされる、請求項18に記載の装置。
【請求項２２】
ワイヤレス通信のためのコードを記憶した非一時的コンピュータ可読記録媒体であって、前記コードが、プロセッサによって、
同期信号(SS)ブロックインデックスの少なくとも一部分を含むSSブロックインデックス部分に基づいてスクランブルされた情報をユーザ機器(UE)から受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分に基づいて、前記スクランブルされた情報をデスクランブルすることと
を実行可能な命令を含む、非一時的コンピュータ可読記録媒体。
【請求項２３】
前記命令がさらに、前記プロセッサによって、前記情報のためのアップリンクグラントを前記UEに送信することを実行可能にさせ、前記アップリンクグラントが前記SSブロックインデックスと関連付けられている、請求項22に記載の非一時的コンピュータ可読記録媒体。
【請求項２４】
ワイヤレス通信のためのコードを記憶した非一時的コンピュータ可読記録媒体であって、前記コードが、プロセッサによって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信することと、
少なくとも前記SSブロックインデックス部分に基づいてスクランブルされた情報を前記UEから受信することであって、
前記スクランブルされた情報が、データまたは制御情報のうちの少なくとも1つを含む、受信することと、
前記SSブロックインデックス部分に基づいて、前記スクランブルされた情報をデスクランブルすることと
を実行可能な命令を含む、非一時的コンピュータ可読記録媒体。
【請求項２５】
ワイヤレス通信のためのコードを記憶した非一時的コンピュータ可読記録媒体であって、前記コードが、ユーザ機器(UE)に備えられたプロセッサによって、
前記UEにおいて、同期信号(SS)ブロックと関連付けられるSSブロックインデックスを決定することと、
前記UEにおいて、前記決定されたSSブロックインデックスの少なくとも一部分に基づいて情報をスクランブルすることであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、スクランブルすることと、
前記スクランブルされた情報を基地局に送信することと
を実行可能な命令を含む、非一時的コンピュータ可読記録媒体。
【請求項２６】
前記命令がさらに、前記プロセッサによって、前記基地局からアップリンクグラントを受信することを実行可能にさせ、前記SSブロックインデックスが前記アップリンクグラントに基づいて決定される、請求項25に記載の非一時的コンピュータ可読記録媒体。
【請求項２７】
前記命令がさらに、前記プロセッサによって、同期信号(SS)ブロックインデックスを示す情報を前記基地局から受信することを実行可能にさせる、請求項25に記載の非一時的コンピュータ可読記録媒体。
【請求項２８】
前記情報をスクランブルすることが、前記SSブロックインデックスの少なくとも一部分に少なくとも一部基づいているシーケンス初期化に基づいてスクランブリングシーケンスを生成することを含み、スクランブリングの前の前記情報には、符号化と符号化解除のうちの少なくとも1つが行われ、スクランブリングの前の前記情報は、前記生成されたスクランブリングシーケンスに基づいてスクランブルされる、請求項25に記載の非一時的コンピュータ可読記録媒体。
【発明の詳細な説明】
【技術分野】
【０００１】
関連技術の相互参照
本出願は、その全体が参照により本明細書に明確に組み込まれる、2017年2月23日に出願された"USAGE OF SYNCHRONIZAION SIGNAL BLOCK INDEX IN NEW RADIO"と題する米国仮特許出願第62/462,872号、および2017年11月2日に出願された"USAGE OF SYNCHRONIZAION SIGNAL BLOCK INDEX IN NEW RADIO"と題する米国特許出願第15/802,398号の利益を主張する。
【０００２】
本開示は全般に通信システムに関し、より詳細には、スクランブリングのための同期信号ブロックインデックスの使用に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を利用することがある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格は5Gニューラジオ(NR: New Radio)である。5G NRは、レイテンシ、信頼性、セキュリティ、スケーラビリティ(たとえば、Internet of Things(IoT)との)と関連付けられる新しい要件、および他の要件を満たすように、第3世代パートナーシッププロジェクト(3GPP)によって公表された継続的なモバイルブロードバンドの進化の一部である。5G NRのいくつかの態様は、4G Long Term Evolution(LTE)規格に基づくことがある。5G NR技術のさらなる改善の必要がある。これらの改善はまた、他の多元接続技術、およびこれらの技術を採用する電気通信規格にも適用可能であることがある。
【発明の概要】
【課題を解決するための手段】
【０００５】
以下は、そのような態様の基本的理解を可能にするために、1つまたは複数の態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００６】
本開示の態様は、SSブロックインデックスの少なくとも一部分に基づいて情報をスクランブル/デスクランブル(descramble)する基地局/ユーザ機器(UE)を提供し、SSブロックインデックスは、SSバーストセット内のあるSSバースト内の特定のSSブロックをインデックス化する。この情報は、送信される前にスクランブルされてもよく、または受信された後でデスクランブルされてもよい。
【０００７】
本開示のある態様では、方法、コンピュータ可読媒体、および装置が提供される。一態様では、装置は基地局であってもよい。基地局は、送信のための同期信号(SS)ブロックと関連付けられるSSブロックインデックスを決定する。基地局は、決定されたSSブロックインデックスの少なくとも一部分に基づいて情報をスクランブルする。この情報は、基準信号、データ、ページング情報、制御情報、ブロードキャスト情報、または制御情報と関連付けられる巡回冗長検査(CRC)のうちの少なくとも1つを含む。基地局は、SSブロックおよびスクランブルされた情報を送信する。
【０００８】
一態様では、装置は基地局であってもよい。基地局は、SSブロックインデックスの少なくとも一部分に基づいてスクランブルされた情報をUEから受信する。スクランブルされた情報は、データまたは制御情報のうちの少なくとも1つを含む。基地局は、SSブロックインデックスの少なくともその一部分に基づいて、スクランブルされた情報をデスクランブルする。
【０００９】
一態様では、装置はUEであってもよい。UEは、SSブロックと、SSブロックと関連付けられるSSブロックインデックスの少なくとも一部分に基づいてスクランブルされた情報とを受信する。この情報は、基準信号、データ、ページング情報、制御情報、ブロードキャスト情報、または制御情報と関連付けられるCRCのうちの少なくとも1つを含む。UEは、SSブロックインデックスの少なくともその一部分に基づいて、スクランブルされた情報をデスクランブルする。
【００１０】
一態様では、装置はUEであってもよい。UEは、受信のためのSSブロックと関連付けられるSSブロックインデックスを決定する。UEは、決定されたSSブロックインデックスの少なくとも一部分に基づいて情報をスクランブルする。この情報は、データ、制御情報、または制御情報と関連付けられるCRCのうちの少なくとも1つを含む。UEはスクランブルされた情報を基地局に送信する。
【００１１】
上記の目的および関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用されてもよい様々な方法のうちのいくつかを示すものにすぎず、この説明は、そのようなすべての態様およびそれらの均等物を含むものとする。
【図面の簡単な説明】
【００１２】
【図１】ワイヤレス通信システムおよびアクセスネットワークの例を示す図である。
【図２Ａ】5G/NRフレーム構造のためのDLサブフレームの例を示す図である。
【図２Ｂ】5G/NRフレーム構造のためのDLサブフレーム内のDLチャネルの例を示す図である。
【図２Ｃ】5G/NRフレーム構造のためのULサブフレームの例を示す図である。
【図２Ｄ】5G/NRフレーム構造のためのULサブフレーム内のULチャネルの例を示す図である。
【図３】アクセスネットワークの中の基地局およびユーザ機器(UE)の例を示す図である。
【図４】UEと通信している基地局を示す図である。
【図５Ａ】SSバーストの例を示す図である。
【図５Ｂ】異なる周波数帯域/キャリアに対するSSバーストの例を示す図である。
【図６Ａ】SSバーストセットの第1の例を示す図である。
【図６Ｂ】SSバーストセットの第2の例を示す図である。
【図７】UEおよび基地局のための第1の例示的な呼フロー図を示す図である。
【図８】UEおよび基地局のための第2の例示的な呼フロー図を示す図である。
【図９】基地局のワイヤレス通信の方法のフローチャートを示す図である。
【図１０】UEのワイヤレス通信の方法のフローチャートを示す図である。
【図１１】例示的な基地局装置の中の異なる手段/構成要素間のデータフローを示す概念データフロー図である。
【図１２】処理システムを利用する基地局装置のハードウェア実装形態の例を示す図である。
【図１３】例示的な基地局装置の中の異なる手段/構成要素間のデータフローを示す概念データフロー図である。
【図１４】処理システムを利用する基地局装置のハードウェア実装形態の例を示す図である。
【発明を実施するための形態】
【００１３】
添付の図面に関して以下に記載される発明を実施するための形態は、様々な構成の説明として意図されており、本明細書で説明される概念が実践されてもよい唯一の構成を表すことは意図されていない。詳細な説明は、様々な概念の完全な理解を与える目的で、具体的な詳細を含む。しかしながら、これらの概念はこれらの具体的な詳細なしに実践されてもよいことが、当業者には明らかであろう。いくつかの事例では、そのような概念を不明瞭にすることを回避するために、よく知られている構造および構成要素がブロック図の形態で示される。
【００１４】
以下で、電気通信システムのいくつかの態様が、様々な装置および方法を参照して提示される。これらの装置および方法は、以下の詳細な説明において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるか、またはソフトウェアとして実装されるかは、具体的な適用例および全体的なシステムに課される設計制約に依存する。
【００１５】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理ユニット(GPU)、中央処理ユニット(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサは、ソフトウェアを実行してもよい。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１６】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００１７】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、Evolved Packet Core(EPC)160とを含む。基地局102は、マクロセル(高電力セルラー基地局)および/またはスモールセル(低電力セルラー基地局)を含むことがある。マクロセルは基地局を含む。スモールセルは、フェムトセル、ピコセル、およびマイクロセルを含む。
【００１８】
(Evolved Universal Mobile Telecommunications System(UMTS) Terrestrial Radio Access Network(E-UTRAN)と総称される)基地局102は、バックホールリンク132(たとえば、S1インターフェース)を通じてEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配信という機能のうちの、1つまたは複数を実行してもよい。基地局102は、バックホールリンク134(たとえば、X2インターフェース)上で互いに直接的または(たとえば、EPC160を介して)間接的に通信してもよい。バックホールリンク134は、有線またはワイヤレスであってもよい。
【００１９】
基地局102は、UE104とワイヤレスに通信することがある。基地局102の各々は、それぞれの地理的カバレッジエリア110に通信カバレッジを提供することがある。重複する地理的カバレッジエリア110が存在することがある。たとえば、スモールセル102'は、1つまたは複数のマクロ基地局102のカバレッジエリア110と重複するカバレッジエリア110'を有することがある。スモールセルとマクロセルの両方を含むネットワークは、異種ネットワークとして知られていることがある。異種ネットワークは、限定加入者グループ(CSG)として知られる限定グループにサービスを提供することがあるHome Evolved Node B(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用することがある。通信リンクは、1つまたは複数のキャリアを介することがある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20、100MHz)までの帯域幅のスペクトルを使用することがある。キャリアは、互いに隣接することも、隣接しないこともある。キャリアの割振りは、DLおよびULに対して非対称であってもよい(たとえば、DLの場合、ULの場合よりも多いかまたは少ないキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００２０】
いくつかのUE104は、デバイスツーデバイス(D2D)通信リンク192を使用して、互いに通信することがある。D2D通信リンク192は、DL/UL WWANスペクトルを使用することがある。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)などの、1つまたは複数のサイドリンクチャネルを使用することがある。D2D通信は、たとえば、FlashLinQ、WiMedia、Bluetooth(登録商標)、ZigBee、IEEE 802.11規格に基づくWi-Fi、LTE、またはNRなどの、様々なワイヤレスD2D通信システムを通じたものであってもよい。
【００２１】
ワイヤレス通信システムは、5GHzの免許不要周波数スペクトルにおいて通信リンク154を介してWi-Fi局(STA)152と通信しているWi-Fiアクセスポイント(AP)150をさらに含むことがある。免許不要周波数スペクトルにおいて通信するとき、STA152/AP150は、チャネルが利用可能であるかどうかを決定するために、通信するより前にクリアチャネルアセスメント(CCA)を実行してもよい。
【００２２】
スモールセル102'は、免許周波数スペクトルおよび/または免許不要周波数スペクトルにおいて動作することがある。免許不要周波数スペクトルにおいて動作しているとき、スモールセル102'は、NRを利用し、Wi-Fi AP150によって使用されるのと同じ5GHzの免許不要周波数スペクトルを使用することがある。免許不要周波数スペクトルにおいてNRを利用するスモールセル102'は、アクセスネットワークへのカバレッジを拡大し、かつ/またはアクセスネットワークの容量を増やしてもよい。
【００２３】
gNodeB(gNB)180は、UE104と通信するときにミリメートル波(mmW)周波数および/または準mmW周波数(near mmW frequency)で動作することがある。gNB180がmmW周波数または準mmW周波数で動作するとき、gNB180はmmW基地局と呼ばれることがある。極高周波数(EHF)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短距離を補償するために、UE104に対してビームフォーミング184を利用することがある。
【００２４】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含んでもよい。MME162は、ホーム加入者サーバ(HSS)174と通信していることがある。MME162は、UE104とEPC160との間のシグナリングを処理する制御ノードである。一般に、MME162はベアラと接続管理とを提供する。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含んでもよい。BM-SC170は、MBMSユーザサービスのプロビジョニングおよび配信のための機能を提供することがある。BM-SC170は、コンテンツプロバイダMBMS送信のためのエントリポイントとして働くことがあり、公衆陸上移動網(PLMN)内のMBMSベアラサービスを認可および開始するために使用されることがあり、MBMS送信をスケジューリングするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２５】
基地局は、gNB、Node B、evolved Node B(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、大型または小型の調理家電、健康管理デバイス、インプラント、ディスプレイ、または任意の他の同様の機能デバイスがある。UE104の一部は、IoTデバイス(たとえば、パーキングメーター、ガスポンプ、トースター、車両、心臓モニターなど)と呼ばれることがある。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００２６】
図1を再び参照すると、いくつかの態様では、UE104/基地局180は、SSブロックインデックス(またはSSブロックインデックスの任意の部分もしくはサブセット)に基づいて情報をスクランブル/デスクランブルするように構成されてもよく、SSブロックインデックスは、SSバーストセット内のあるSSバースト内の特定のSSブロックをインデックス化する(198)。この情報は、送信される前にSSブロックインデックスに基づいてスクランブルされてもよく、かつ/または受信された後でSSブロックインデックスに基づいてデスクランブルされてもよい。
【００２７】
図2Aは、5G/NRフレーム構造内のDLサブフレームの例を示す図200である。図2Bは、DLサブフレーム内のチャネルの例を示す図230である。図2Cは、5G/NRフレーム構造内のULサブフレームの例を示す図250である。図2Dは、ULサブフレーム内のチャネルの例を示す図280である。5G/NRフレーム構造は、サブキャリアの特定のセット(キャリアシステム帯域幅)に対してサブキャリアのセット内のサブフレームがDLまたはULのいずれかに専用であるFDDであってもよく、または、サブキャリアの特定のセット(キャリアシステム帯域幅)に対してサブキャリアのセット内のサブフレームがDLとULの両方に専用であるTDDであってもよい。図2A、図2Cによって提供される例では、5G/NRフレーム構造はTDDであると仮定され、サブフレーム4はDLサブフレームであり、サブフレーム7はULサブフレームである。サブフレーム4はDLだけを提供するものとして示され、サブフレーム7はULだけを提供するものとして示されるが、任意の特定のサブフレームが、ULとDLの両方を提供する異なるサブセットへと分割されてもよい。以下の説明はFDDである5G/NRフレーム構造にも当てはまることに留意されたい。
【００２８】
他のワイヤレス通信技術は、異なるフレーム構造および/または異なるチャネルを有することがある。フレーム(10ms)は、10個の等しいサイズのサブフレーム(1ms)に分割されることがある。各サブフレームは、1つまたは複数のタイムスロットを含むことがある。各スロットは、スロット構成に応じて7個または14個のシンボルを含むことがある。スロット構成0では、各スロットは14個のシンボルを含むことがあり、スロット構成1では、各スロットは7個のシンボルを含むことがある。サブフレーム内のスロットの数は、スロット構成およびヌメロロジーに基づく。スロット構成0では、異なるヌメロロジー0〜5がそれぞれ、サブフレーム当たり1個、2個、4個、8個、16個、および32個のスロットを許容する。スロット構成1では、異なるヌメロロジー0〜2がそれぞれ、サブフレーム当たり2個、4個、および8個のスロットを許容する。サブキャリア間隔およびシンボル長/持続時間は、ヌメロロジーに依存する。サブキャリア間隔は2μ*15kHzに等しくてもよく、μはヌメロロジー0〜5である。シンボル長/持続時間はサブキャリア間隔とは逆数の関係にある。図2A、図2Cは、スロット当たり7個のシンボルがあるスロット構成1およびサブフレーム当たり2個のスロットがあるヌメロロジー0の例を与える。サブキャリア間隔は15kHzであり、シンボル持続時間は約66.7μsである。
【００２９】
フレーム構造を表すためにリソースグリッドが使用されることがある。各時間スロットは、12個の連続するサブキャリアにわたるリソースブロック(RB)(物理RB(PRB)とも呼ばれる)を含む。リソースグリッドは複数のリソース要素(RE)に分割される。各REによって搬送されるビット数は、変調方式に依存する。
【００３０】
図2Aに示されるように、REのうちのいくつかは、(Rとして示された)UEのための基準(パイロット)信号(RS)を搬送する。RSは、UEにおけるチャネル推定のための、復調RS(DMRS)およびチャネル状態情報基準信号(CSI-RS)を含むことがある。RSはまた、ビーム測定RS(BRS)、ビーム精緻化RS(BRRS)、および位相雑音追跡RS(PT-RS)を含むことがある。
【００３１】
図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあることがある。PSCHは、サブフレーム/シンボルタイミングおよび物理レイヤ識別情報を決定するためにUE104によって使用される、1次同期信号(PSS)を搬送する。2次同期チャネル(SSCH)は、フレームのサブフレーム0および5内のスロット0のシンボル5内にあることがある。SSCHは、物理レイヤセル識別情報グループ番号および無線フレームタイミングを決定するためにUEによって使用される、2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。マスター情報ブロック(MIB)を搬送する物理ブロードキャストチャネル(PBCH)は、同期信号(SS)/PBCHブロックを形成するために、PSCHおよびSSCHと論理的にグループ化されてもよい。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通して送信されないブロードキャストシステム情報と、ページングメッセージとを搬送する。
【００３２】
図2Cに示されるように、REのうちのいくつかは、基地局におけるチャネル推定のための復調基準信号(DMRS)を搬送する。UEは、サブフレームの最終シンボルにおいてサウンディング基準信号(SRS)をさらに送信することがある。SRSはコム構造を有することがあり、UEはコムのうちの1つの上でSRSを送信することがある。SRSは、基地局によって、UL上での周波数依存スケジューリングを可能にするために、チャネル品質推定のために使用されることがある。
【００３３】
図2Dは、フレームのULサブフレーム内の様々なチャネルの例を示す。物理ランダムアクセスチャネル(PRACH)は、PRACH構成に基づいてフレーム内の1つまたは複数のサブフレーム内にあってもよい。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００３４】
図3は、アクセスネットワークにおいてUE350と通信している基地局310のブロック図である。DLでは、EPC160からのIPパケットがコントローラ/プロセッサ375に提供されることがある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成と関連付けられるRRCレイヤ機能と、ヘッダ圧縮/解凍、セキュリティ(暗号化、解読、完全性保護、完全性検証)、およびハンドオーバーサポート機能と関連付けられるPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けと関連付けられるMACレイヤ機能とを提供する。
【００３５】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域において基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個のトランスミッタ318TXを介して異なるアンテナ320に提供されることがある。各トランスミッタ318TXは、送信のためにそれぞれの空間ストリームでRFキャリアを変調することがある。
【００３６】
UE350において、各レシーバ354RXは、レシーバのそれぞれのアンテナ352を通じて信号を受信する。各レシーバ354RXは、RFキャリア上に変調された情報を復元し、その情報を受信(RX)プロセッサ356に提供する。TXプロセッサ368およびRXプロセッサ356は、様々な信号処理機能と関連付けられるレイヤ1機能を実装する。RXプロセッサ356は、UE350に宛てられたあらゆる空間ストリームを復元するために、情報に対して空間処理を実行してもよい。複数の空間ストリームがUE350に宛てられる場合、複数の空間ストリームは、RXプロセッサ356によって単一のOFDMシンボルストリームへと合成されることがある。次いで、RXプロセッサ356は、高速フーリエ変換(FFT)を使用して、OFDMAシンボルストリームを時間領域から周波数領域に変換する。周波数領域信号は、OFDM信号の各サブキャリアに対して別々のOFDMシンボルストリームを備える。各サブキャリア上のシンボルおよび基準信号は、基地局310によって送信される、可能性が最も高い信号のコンスタレーションポイントを判定することによって復元および復調される。これらの軟判定は、チャネル推定器358によって算出されたチャネル推定値に基づくことがある。軟判定は、次いで、物理チャネル上で基地局310によって最初に送信されたデータおよび制御信号を復元するために復号およびデインターリーブされる。データおよび制御信号は、次いで、レイヤ3およびレイヤ2の機能を実装するコントローラ/プロセッサ359に提供される。
【００３７】
コントローラ/プロセッサ359は、プログラムコードとデータとを記憶するメモリ360に関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、ACKおよび/またはNACKプロトコルを使用してHARQ動作をサポートする誤り検出を担う。
【００３８】
基地局310によるDL送信に関して説明された機能と同様に、コントローラ/プロセッサ359は、システム情報(たとえば、MIB、SIB)収集、RRC接続、および測定報告と関連付けられるRRCレイヤ機能と、ヘッダ圧縮/解凍およびセキュリティ(暗号化、解読、完全性保護、完全性検証)と関連付けられるPDCPレイヤ機能と、上位レイヤPDUの転送、ARQを通じた誤り訂正、RLC SDUの連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、TB上へのMAC SDUの多重化、TBからのMAC SDUの逆多重化、スケジューリング情報報告、HARQを通じた誤り訂正、優先度処理、および論理チャネル優先度付けと関連付けられるMACレイヤ機能とを提供する。
【００３９】
基地局310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用されることがある。TXプロセッサ368によって生成された空間ストリームは、別個のトランスミッタ354TXを介して異なるアンテナ352に提供されることがある。各トランスミッタ354TXは、送信のためにそれぞれの空間ストリームでRFキャリアを変調することがある。
【００４０】
UL送信は、UE350におけるレシーバ機能に関して説明された方式と同様の方式で、基地局310において処理される。各レシーバ318RXは、レシーバのそれぞれのアンテナ320を通じて信号を受信する。各レシーバ318RXは、RFキャリア上に変調された情報を復元し、その情報をRXプロセッサ370に提供する。
【００４１】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供されることがある。コントローラ/プロセッサ375はまた、ACKおよび/またはNACKプロトコルを使用してHARQ動作をサポートする誤り検出を担う。
【００４２】
図4は、UE404と通信している基地局402を示す図400である。図4を参照すると、UE404がオンになると、UE404は近くのNRネットワークを探す。UE404は、NRネットワークに属する基地局402を発見する。基地局402は、異なる送信方向402a〜402hへ、PSS、SSS、およびPBCH(MIBを含む)を含むSSブロックを定期的に送信する。UE404は、PSS、SSS、およびPBCHを含む送信402eを受信する。受信されたSSブロックに基づいて、UE404は、NRネットワークに同期し、基地局402と関連付けられるセルにキャンプオンする。
【００４３】
上で論じられたように、PSS、SSSおよびPBCHは、SSブロック内で送信されてもよい。各SSブロックは、0、1、...、n-1のうちの1つとして図4において示される対応するSSブロックインデックス(SS/PBCHブロックインデックスとも呼ばれる)を有する。PSS、SSS、およびPBCHは、SSブロックと時分割多重化および/または周波数分割多重化されてもよい(図4は、SSブロック内で時分割多重化されたPSS、SSS、およびPBCHを示す)。図4は、PSS、SSS、およびPBCHを時間的に連続するものとして示すが、PSS、SSS、およびPBCHは時間的に非連続であってもよいので、1つまたは複数のスロット/シンボルによって互いに離隔されていてもよい(すなわち、時間的に互いに隣り合っていなくてもよい)。SSブロックは、他の信号/チャネルを含むことがあるので、PSS、SSS、およびPBCH以外の他の信号/チャネルが、SSブロックへと多重化されてもよい。1つまたは複数のSSブロックがSSバーストを構成する。SSバーストの中のSSブロックの数nは変化してもよい。SSブロックは、対応するSSブロックインデックスに関して連続的であってもよく、または非連続であってもよい。SSバースト内のSSブロックは、同じであってもよく、または同じではなくてもよい。1つまたは複数のSSバーストがSSバーストセットを構成する。SSバーストの周期性(周期P)およびSSバーストの中のSSバーストの数は変化してもよい。SSバーストセット内のSSバーストの数は有限である。SSバーストセットの送信は、定期的であってもよく、または非定期的であってもよい。
【００４４】
図5Aは、SSバーストの例を示す図500である。図5Bは、異なる周波数帯域/キャリアのためのSSバーストの例を示す図550である。図6Aは、SSバーストセットの第1の例を示す図600である。図6Bは、SSバーストセットの第2の例を示す図650である。図5Aの図500において示されるように、SSバーストはSSブロックインデックス0、1、...、7に対応する複数のSSブロックを含む。SSブロックのサブセット502(この例ではインデックス2、5参照)は、UL制御ブロックの送信を代わりに可能にするためにそれらがオフになり得る(すなわち、送信されない)ように、事前に構成されてもよい。図5Bの図550に示されるように、異なる帯域は異なるSSバースト構成を有してもよい。たとえば、帯域Xにおいて、SSバーストはSSブロック0、1、...、7を含んでもよく、SSブロック2、5は、UL制御ブロックの送信を代わりに可能にするようにオン/オフが事前に構成される。別の例では、帯域Yにおいて、SSバーストはSSブロック0、1、3、4、6、7を含んでもよく、SSブロック1、4、7は、UL制御ブロックの送信を代わりに可能にするように、オン/オフが事前に構成される。示されるSSバーストは、SSバーストセット内のi番目のSSバーストであってもよい。図6Aの図600に示されるように、第1の例では、SSバーストセットは、K個の異なるSSバースト0、1、...、K-1を含んでもよい。SSバーストセットの時間長はN*10msであってもよく、Nは整数である。図6Bを参照すると、SSバーストセットの中のSSバーストの周期性(周期P1)は、SSバーストがSSバーストセットの中でどれだけ頻繁に送信されるかである。ビーム掃引の周期性(周期P2)は、SSバーストセットの中でビーム掃引SSバーストがどれだけ頻繁に繰り返すかである。UEは、同じビーム方向に対して経時的に基準信号受信電力(RSRP)をフィルタリングし、かつ/またはサブアレイを訓練するために、SSバーストセットの中の反復的なSSバーストを使用してもよい。図6Bの例では、SSバーストセットは80msという時間長を有し、SSバーストの周期P1は20msであり、ビーム掃引の周期P2は40msである。
【００４５】
上で論じられたように、SSバースト内またはSSバーストセット内のSSブロックを示すために、SSブロックインデックスが使用されてもよい。SSバースト内のSSブロックを示すためにSSブロックインデックスが使用されるとき、SSバーストは、SSバーストセット内の特定のSSバーストを示すためのSSバーストインデックスを有してもよい。したがって、SSブロックインデックスは、SSバーストセット内のSSバースト内のSSブロックを示すことができ(たとえば、SSブロックインデックスは、SSバーストセットの中のSSブロックに対して0、1、...、n*K-1であり、SSバースト当たりn個のSSブロックがあり、SSバーストセットの中にK個のSSバーストがある)、または、SSブロックインデックスとSSバーストインデックスの組合せは、SSバーストセット内のSSバースト内のSSブロックを示すことができる(たとえば、SSブロックインデックスは、各SSバーストセットの中のSSブロックに対して0、1、...、n-1であり、SSバーストインデックスは、SSバーストセットの中のSSバーストに対して0、1、...、K-1である)。ここで、SSブロックインデックスとは、SSバーストセット内のSSバースト内のSSブロックを示すための1つまたは複数のインデックスを指すことがある。SSブロックインデックスを論理インデックスにマッピングするために、マッピング関数が使用されてもよい。1つのSSブロックインデックスが1つの論理インデックスにマッピングされる、1対1のマッピングがあってもよい。代わりに、複数のSSブロックインデックスが1つの論理インデックスにマッピングされる、複数対1のマッピングがあってもよい。
【００４６】
図7は、UE702および基地局704のための第1の例示的な呼フロー図を示す図700である。図7に示されるように、710において、基地局704は、714における送信のためのSSブロックと関連付けられるSSブロックインデックスを決定する。上で論じられたように、SSブロックは、PSS、SSS、またはPBCHのうちの少なくとも1つを含んでもよい。基地局704は、どのSSブロックがビームのセットのうちのある特定のビームにおいて送信されているかに基づいて、SSブロックインデックスを決定してもよい(図4、402a〜402h参照)。
【００４７】
712において、基地局704は、決定されたSSブロックインデックスに基づいて情報をスクランブルする。基地局704は、SSブロックインデックスに少なくとも一部基づくシーケンス/スクランブリング初期化に基づいてスクランブリングシーケンスを生成することによって、この情報をスクランブルしてもよい。たとえば、情報をスクランブルするためのスクランブリング初期化は、SSブロックインデックスのどのようなサブセットに基づいてもよい。別の例では、情報をスクランブルするためのスクランブリング初期化は、SSブロックインデックスのサブセットと、基地局704のセルID
【００４８】
【数１】
0006808847.tif 000002
【００４９】
との両方に基づいてもよい。SSブロックインデックスがmビットである場合、SSブロックインデックスのサブセットは、1〜mビットを含んでもよい。一例では、SSブロックインデックスのサブセットは、SSブロックインデックスのX個の最下位ビット(LSB)であってもよく、Xは2または3であってもよい。一例では、SSブロックインデックスは6ビット(たとえば、b5b4b3b2b1b0)であり、SSブロックインデックスの3個のLSB(たとえば、b2b1b0)は、情報をスクランブルするためのスクランブリング初期化のために使用される。スクランブリングの前の情報が、符号化および/または符号化解除されてもよく、生成されたスクランブリングシーケンスに基づいてスクランブルされてもよい。この情報は、基準信号、データ、ページング情報、制御情報、ブロードキャスト情報、または制御情報と関連付けられるCRCのうちの少なくとも1つを含む。一構成では、基準信号は、CSI-RS、測定RS(MRS)(モビリティRSとも呼ばれる)、DMRS(PDCCH、PDSCH、またはPBCHのための)、またはPT-RSのうちの少なくとも1つである。一構成では、データはPDSCHのためのものであり、ページング情報はページングチャネル(PCH)のためのものであり、制御情報はPDCCHのためのものであり、ブロードキャスト情報はPBCHのためのものである。この情報がスクランブルされたCRCを含むとき、スクランブルされたCRCと関連付けられる制御情報は、SSブロックインデックスに基づいて、それ自体がスクランブリングされてもよく、またはされなくてもよい。
【００５０】
たとえば、DMRS(たとえば、PBCH DMRS)をスクランブルするためのシーケンス初期化は、基地局704のセルIDおよびSSブロックインデックスの3個のLSBに基づいてもよい。具体的には、PBCH DMRSのための初期化は
【００５１】
【数２】
0006808847.tif 000003
【００５２】
であってもよく、ISSBはSSブロックインデックスであり、最大の長さL=4の場合、
【００５３】
【数３】
0006808847.tif 000004
【００５４】
であり、無線フレームの第1の半分のフレームにおいてHF=0であり、無線フレームの第2の半分のフレームにおいてHF=1であり、最大の長さL=8および最大のL=64の場合、
【００５５】
【数４】
0006808847.tif 000005
【００５６】
である。
【００５７】
別の例では、情報がPBCHのためのブロードキャスト情報であると仮定する。符号化/CRCプロセスの前に、基地局704は、基地局704のセルIDに基づくスクランブリングシーケンス(スクランブリングシーケンス初期化
【００５８】
【数５】
0006808847.tif 000006
【００５９】
)に基づいて、PBCHペイロードをスクランブルしてもよい。続いて、符号化/CRCプロセスの後、基地局704は、そのセルIDに基づくスクランブリングシーケンス(スクランブリングシーケンス初期化
【００６０】
【数６】
0006808847.tif 000007
【００６１】
)およびSSブロックインデックスのX個のLSBに基づいて、符号化されたPBCHをスクランブルしてもよい。SSブロックインデックスのX個のLSBビットが、シーケンスの連続的な非重複部分を決定するために使用される。このシーケンスは長さM(2X)のGoldシーケンスであってもよく、Mはスクランブルされるべきビットの数である。このシーケンスは、2X個の非重複部分へと区分されてもよい。SSブロックインデックスのX個のLSBビットは、シーケンスの非重複部分の各々のインデックスを一意に特定し、最大の長さL=4の場合X=2であり、最大の長さL=8または64の場合X=3である。X=3の場合、各PBCHのために使用されるシーケンスインデックス(たとえば、b2b1b0)は次のようなものであってもよい(Mはスクランブルされるべきビットの数である)。
【００６２】
【表１】
0006808847.tif 000008
【００６３】
714において、基地局704は、SSブロックおよびスクランブルされた情報をUE702に送信する。SSブロックはスクランブルされた情報を含んでもよい。
【００６４】
基地局704は、DL制御ペイロードを符号化するとき、CRCをスクランブルするためにSSブロックインデックスを使用してもよい。基地局704は、明示的なシグナリングなしで、制御チャネルのためのquasi-colocation(QCL)パラメータを搬送するために、スクランブルされたCRCを使用してもよい。一方のアンテナポート上のシンボルが搬送されるチャネルの性質が、他方のアンテナポート上のシンボルが搬送されるチャネルから推測され得る場合、これらの2つのアンテナポートは擬似的に同じ場所にある(quasi co-located)と言われる。QCLは、ビーム管理機能(少なくとも空間パラメータを含む)、周波数/タイミングオフセット推定機能(少なくともドップラー/遅延パラメータを含む)、無線リソース管理(RRM)機能(少なくとも平均利得を含む)をサポートしてもよい。NRでは、DMRSアンテナポートのすべてまたはサブセットが、擬似的に同じ場所にあってもよい。搬送されるQCLパラメータは、制御チャネルと関連付けられるビームを含むビームペアと関連付けられる基準信号のQCLと、対応するSSブロックインデックスとを示してもよい。制御チャネルを復号し、SSブロックインデックスを取得することによって、UE702は、SSブロックインデックスと関連付けられるQCLパラメータを決定することが可能であってもよい。制御チャネルは、共通制御チャネル(CCCH)および/またはUE固有制御チャネル(たとえば、専用制御チャネル(DCCH))を含んでもよい。UE702がそのようなDL制御チャネルを復号するとき、UE702は、復号されたDL制御情報を使用してもよく、または、UE702がSSブロックインデックスによってスクランブルされるそのような制御情報を受信するように構成されるかどうかに応じて、復号されたDL制御情報を廃棄してもよい。再び710を参照すると、基地局704は、基準信号のQCLに関連してUE702によって使用されるべきSSブロックを決定してもよい。そのような構成では、712において、基地局704は、UE702に送信されるべき制御情報に基づいてCRCを生成してもよく、決定されたSSブロックインデックスに基づいてCRCをスクランブルしてもよい。714において、基地局704は、制御情報と、SSブロックインデックスでスクランブルされたCRCとを、UE702に送信してもよい。
【００６５】
714において、UE702は、SSブロックと関連付けられるSSブロックインデックスに基づいてスクランブルされた情報を含む、SSブロックを受信する。
【００６６】
716において、UE702は、SSブロックインデックスに基づいて、スクランブルされた情報をデスクランブルする。UE702は、SSブロックインデックスに基づいてその情報自体をデスクランブルしてもよく、または、SSブロックインデックスに基づいてその情報と関連付けられるCRCをデスクランブルしてもよい。後者の場合、UE702は、デスクランブルされたCRCに基づいてその情報を復号してもよい。
【００６７】
スクランブルされた情報714がSSブロックインデックスに基づいてスクランブルされたCRCを含むとき、UE702は、SSブロックインデックスに基づいてCRCをデスクランブルし、デスクランブルされたCRCに基づいて受信された制御情報を復号してもよい(たとえば、受信された制御情報を復号し、復号された制御情報に基づいてCRCを生成し、制御情報の復号/デスクランブルが成功したかどうかを決定するために、生成されたCRCとデスクランブルされたCRCを比較する)。続いて、718において、UEは、CRCをデスクランブルするために使用されるSSブロックインデックスに基づいて、QCLパラメータを決定してもよい。上で論じられたように、QCLパラメータは、制御チャネルと関連付けられるビームを含むビームペアと関連付けられる基準信号のQCLと、対応するSSブロックインデックスとを示してもよい。
【００６８】
図8は、UEおよび基地局のための第2の例示的な呼フロー図を示す図800である。810において、UE804は、受信のためのSSブロックと関連付けられるSSブロックインデックスを決定する。SSブロックインデックスと関連付けられるSSブロックは、以前に受信されていた可能性があり、または今後受信される可能性がある。810において、UE804は、基地局802からアップリンクグラントを受信してもよく、アップリンクグラントに基づいてSSブロックインデックスを決定してもよい。たとえば、ビームの中の、またはビームと関連付けられるULグラントおよびSSブロックをUEが受信する場合、UEは、ULグラントと同じビームと関連付けられるSSブロックインデックスであるものとして、SSブロックインデックスを決定してもよい。代わりに、UE804は、基地局802から、SSブロックインデックスを示す情報を受信してもよく、810において、受信された情報に基づいてSSブロックインデックスを決定してもよい。
【００６９】
812において、UE804は、決定されたSSブロックインデックスに基づいて情報をスクランブルする。UE804は、SSブロックインデックスに少なくとも一部基づくシーケンス初期化に基づいてスクランブリングシーケンスを生成することによって、情報をスクランブルしてもよい。スクランブリングの前の情報が、符号化および/または符号化解除されてもよく、生成されたスクランブリングシーケンスに基づいてスクランブルされてもよい。この情報は、データ、制御情報、または制御情報と関連付けられるCRCのうちの少なくとも1つを含む。一構成では、データはPUSCHのためのものであり、制御情報はPUCCHのためのものである。
【００７０】
814において、UE804は、スクランブルされた情報を基地局802に送信する。スクランブルされた情報がSSブロックインデックスによってスクランブルされるCRCを含むとき、UE804は、SSブロックインデックスでスクランブルされたCRCとともにUL制御情報を送信してもよい。基地局802は、UEから、SSブロックインデックスに基づいてスクランブルされた情報を受信する。
【００７１】
816において、基地局802は、SSブロックインデックスに基づいて、スクランブルされた情報をデスクランブルする。スクランブルされた情報がSSブロックインデックスに基づいてスクランブルされたCRCを含むとき、基地局802は、SSブロックインデックスに基づいてCRCをデスクランブルし、デスクランブルされたCRCに基づいて受信されたUL制御情報を復号してもよい(たとえば、受信されたUL制御情報を復号し、復号されたUL制御情報に基づいてCRCを生成し、UL制御情報の復号/デスクランブルが成功したかどうかを決定するために、生成されたCRCをデスクランブルされたCRCと比較する)。
【００７２】
図9は、基地局のワイヤレス通信の方法のフローチャート900、950を示す。フローチャート900に関して、904において、基地局は、送信のためのSSブロックと関連付けられるSSブロックインデックスを決定する。図4に関して上で論じられたように、SSブロックは、PSS、SSS、またはPBCHのうちの少なくとも1つを含んでもよい。基地局がSSバースト内でn個のSSブロックを送信し、SSバーストセット内でK個のSSバーストを送信する場合、基地局は、どのSSブロックがSSバーストセットの特定のSSバースト内で送信されているかに基づいて、SSブロックインデックスを決定してもよい。したがって、SSブロックインデックスは、図6A、図6Bに関して上で論じられたように、nおよびKに依存してもよい。一例では、SSブロックインデックスISSBは、SSバーストセット内のSSバースト内のSSブロックを示すための、0、1、...、n*K-1内の1つのパラメータであってもよい。別の例では、SSブロックインデックスISSBは2つのパラメータであってもよく、第1のパラメータはSSバースト内の特定のSSブロックを示すために0、1、...、n-1の間にあり(たとえば、4ビットでn=16の場合s2s1s0c0)、第2のパラメータはSSバーストセット内の特定のSSバーストを示すために0、1、...、K-1の間にある(たとえば、6ビットでK=64の場合、b5b4b3b2b1b0)。
【００７３】
906において、基地局は、決定されたSSブロックインデックスISSBの少なくとも一部分に基づいて情報をスクランブルする。この情報は、たとえば、SSブロックインデックスのX個のLSBなどの、SSブロックインデックスISSBのサブセット(一部分)に基づいてスクランブルされてもよい。この情報は、基準信号、データ、ページング情報、制御情報、ブロードキャスト情報、または制御情報と関連付けられるCRCのうちの少なくとも1つを含む。基準信号は、CSI-RS、MRS、DMRS(たとえば、PDCCH、PDSCH、またはPBCHのための)、またはPT-RSのうちの少なくとも1つであってもよい。一構成では、データはPDSCHのためのものであり、ページング情報はPCHのためのものであり、制御情報はPDCCHのためのものであり、ブロードキャスト情報はPBCHのためのものである。決定されたSSブロックインデックスISSBの少なくとも一部分を使用して、基地局は様々なタイプの情報のうちの1つまたは複数をスクランブルしてもよい。基地局は、SSブロックインデックスの少なくともその一部分に少なくとも一部基づくシーケンス初期化に基づいてスクランブリングシーケンスを生成することによって、この情報をスクランブルしてもよい。スクランブリングの前の情報が、符号化および/または符号化解除されてもよく、生成されたスクランブリングシーケンスに基づいてスクランブルされてもよい。
【００７４】
一構成では、スクランブルされた情報は、SSブロックインデックスの少なくともその一部分に基づいてスクランブルされたCRCを含み、CRCは、UEに送信される制御情報のためのものである。そのような構成では、902において、基地局は、基準信号のQCLに関連してUEによって使用されるべきSSブロックを決定してもよい。さらに、906において、基地局は、基準信号のQCLに関連してUEによって使用されるべき、902において決定されたSSブロックのSSブロックインデックスの少なくともその一部分に基づいて、CRCをスクランブルしてもよい。
【００７５】
908において、基地局は、SSブロックおよびスクランブルされた情報を送信する。スクランブルされた情報は、SSブロックとともに(時間的に同時に)、またはSSブロックなしで(時間的に同時にではなく)送信されてもよい。たとえば、スクランブルされた情報がPBCHであるとき、スクランブルされたPBCHはSSブロックとともに送信される。しかしながら、スクランブルされた情報がCRCを伴う制御情報であるとき、CRCを伴うスクランブルされた制御情報は、SSブロックと時間的に同時に送信されなくてもよい。
【００７６】
フローチャート950に関して、952において、基地局は、情報のためのアップリンクグラントをUEに送信してもよく、アップリンクグラントはSSブロックインデックスと関連付けられる。代わりに、基地局は、スクランブリング情報のためのSSブロックインデックスを示すSSブロックインデックス情報をUEに送信してもよい。
【００７７】
954において、基地局は、SSブロックインデックスの少なくとも一部分に基づいてスクランブルされた情報を、UEから受信する。スクランブルされた情報は、データまたは制御情報のうちの少なくとも1つを含む。一構成では、データはPUSCHのためのものであり、制御情報はPUCCHのためのものである。
【００７８】
956において、基地局は、SSブロックインデックスの少なくともその一部分に基づいて、スクランブルされた情報をデスクランブルする。たとえば、基地局は、SSブロックインデックスの少なくともその一部分に基づいてスクランブルされた情報をUEから受信してもよく、SSブロックインデックスの少なくともその一部分に基づいて、受信された情報をデスクランブルしてもよい。別の例では、基地局は、SSブロックインデックスの少なくともその一部分に基づいてスクランブルされたCRCとともに、その情報を受信してもよい。基地局は、UEから受信されたCRCをデスクランブルし、情報を復号し、復号された情報に基づいてCRCを生成し、UEから受信された情報の復号/デスクランブルが成功したかどうかを決定するために、生成されたCRCをデスクランブルされたCRCと比較してもよい。
【００７９】
図10は、UEのワイヤレス通信の方法のフローチャート1000、1050を示す。フローチャート1000に関して、1002において、UEは、SSブロックと、そのSSブロックと関連付けられるSSブロックインデックスの少なくとも一部分に基づいてスクランブルされた情報とを受信する。図4に関連して論じられたように、SSブロックは、PSS、SSS、またはPBCHのうちの少なくとも1つを含んでもよい。この情報は、基準信号、データ、ページング情報、制御情報、ブロードキャスト情報、または制御情報と関連付けられるCRCのうちの少なくとも1つを含む。一構成では、基準信号は、CSI-RS、MRS、DMRS(たとえば、PDCCH、PDSCH、またはPBCHのための)、またはPT-RSのうちの少なくとも1つである。一構成では、データはPDSCHのためのものであり、ページング情報はPCHのためのものであり、制御情報はPDCCHのためのものであり、ブロードキャスト情報はPBCHのためのものである。
【００８０】
1004において、UEは、SSブロックインデックスの少なくともその一部分に基づいて、スクランブルされた情報をデスクランブルする。一構成では、スクランブルされた情報は、SSブロックインデックスの少なくともその一部分に基づいてスクランブルされたCRCを含む。そのような構成では、1004において、UEは、SSブロックインデックスの少なくともその一部分に基づいてCRCをデスクランブルし、デスクランブルされたCRCに基づいて受信された制御情報を復号する。
【００８１】
UEがSSブロックインデックスの少なくともその一部分に基づいてCRCをデスクランブルし、デスクランブルされたCRCに基づいて受信された制御情報を復号する構成では、1006において、UEは、CRCをデスクランブルするために使用されるSSブロックインデックスの少なくともその一部分に基づいてQCLパラメータを決定してもよい。
【００８２】
フローチャート1050に関して、1052において、UEは基地局からアップリンクグラントを受信してもよい。代わりに、UEは、SSブロックインデックスを示す情報を基地局から受信してもよい。
【００８３】
1054において、UEは、受信のためのSSブロックと関連付けられるSSブロックインデックスを決定する。UEは、アップリンクグラントに基づいて、またはそうでなければ、SSブロックインデックスを示す情報に基づいて、SSブロックインデックスを決定してもよい。
【００８４】
1056において、UEは、決定されたSSブロックインデックスの少なくとも一部分に基づいて情報をスクランブルする。この情報は、データまたは制御情報のうちの少なくとも1つを含む。一構成では、データはPUSCHのためのものであり、制御情報はPUCCHのためのものである。UEは、情報自体をスクランブルしてもよく、かつ/または、情報と関連付けられるCRCをスクランブルしてもよい。UEは、SSブロックインデックスの少なくともその一部分に少なくとも一部基づくシーケンス初期化に基づいてスクランブリングシーケンスを生成することによって、情報をスクランブルしてもよい。スクランブリングの前の情報には、符号化または符号化解除のうちの少なくとも1つが行われてもよく、スクランブリングの前の情報は、生成されたスクランブリングシーケンスに基づいてスクランブルされてもよい。
【００８５】
1058において、UEは、スクランブルされた情報を基地局に送信する。スクランブルされた情報は、SSブロックインデックスの少なくともその一部分に基づいてスクランブルされた情報を含んでもよく、または、SSブロックインデックスの少なくともその一部分に基づいてスクランブルされた情報とCRC(その情報に基づいて生成される)との両方を含んでもよい。
【００８６】
図11は、例示的な装置1102における異なる手段/構成要素間のデータフローを示す概念データフロー図1100である。装置は、基地局180、402、704、802などの基地局であってもよい。装置は、送信のためのSSブロックと関連付けられるSSブロックインデックスを決定するように構成されてもよい、SSブロックインデックス決定構成要素1108を含む。SSブロックインデックス決定構成要素1108は、決定されたSSブロックインデックスをSSブロックインデックススクランブラ/デスクランブラ構成要素1106に提供してもよい。SSブロックインデックススクランブラ/デスクランブラ構成要素1106は、決定されたSSブロックインデックスの少なくとも一部分に基づいて情報をスクランブルするように構成されてもよい。この情報は、基準信号、データ、ページング情報、制御情報、ブロードキャスト情報、または制御情報と関連付けられるCRCのうちの少なくとも1つを含んでもよい。情報をスクランブルした後で、SSブロックインデックススクランブラ/デスクランブラ構成要素1106は、スクランブルされた情報を送信構成要素1110に提供してもよい。送信構成要素1110は、SSブロックおよびスクランブルされた情報をUE1150に送信するように構成されてもよい。
【００８７】
上で論じられたように、基準信号は、CSI-RS、MRS、DMRS(たとえば、PDCCH、PDSCH、またはPBCHのための)、またはPT-RSのうちの少なくとも1つであってもよい。さらに、データはPDSCHのためのものであってもよく、ページング情報はPCHのためのものであってもよく、制御情報はPDCCHのためのものであってもよく、ブロードキャスト情報はPBCHのためのものであってもよい。SSブロックは、PSS、SSS、またはPBCHのうちの少なくとも1つを含んでもよい。
【００８８】
スクランブルされた情報は、SSブロックインデックスの少なくともその一部分に基づいてスクランブルされたCRCを含んでもよく、CRCは、UE1150に送信される制御情報のためのものである。そのような構成では、SSブロックインデックス決定構成要素1108は、基準信号のQCLに関連してUE1150によって使用されるべきSSブロックを決定するように構成されてもよく、CRCは、基準信号のQCLに関連してUE1150によって使用されるべき決定されたSSブロックのSSブロックインデックスの少なくともその一部分に基づいてスクランブルされてもよい。
【００８９】
SSブロックインデックススクランブラ/デスクランブラ構成要素1106は、SSブロックインデックスの少なくともその一部分に少なくとも一部基づくシーケンス初期化に基づいてスクランブリングシーケンスを生成することによって、情報をスクランブルするように構成されてもよい。スクランブリングの前の情報には、符号化または符号化解除のうちの少なくとも1つが行われてもよく、スクランブリングの前の情報は、生成されたスクランブリングシーケンスに基づいてスクランブルされてもよい。
【００９０】
装置1102はさらに、SSブロックインデックスの少なくとも一部分に基づいてスクランブルされた情報をUE1150から受信するように構成される受信構成要素1104を含んでもよく、スクランブルされた情報はデータまたは制御情報のうちの少なくとも1つを含む。受信構成要素1104は、受信されたスクランブルされた情報をSSブロックインデックススクランブラ/デスクランブラ構成要素1106に提供してもよい。受信構成要素1104はまた、SSブロックインデックス決定構成要素1108が受信されたスクランブルされた情報と関連付けられるSSブロックインデックスを決定し得るように、受信されたスクランブルされた情報と関連付けられるSSブロックインデックス情報をSSブロックインデックス決定構成要素1108に提供してもよい。そのような場合、SSブロックインデックス決定構成要素1108は、受信されたスクランブルされた情報と関連付けられるSSブロックインデックスをSSブロックインデックススクランブラ/デスクランブラ構成要素1106に提供してもよい。SSブロックインデックススクランブラ/デスクランブラ構成要素1106は、SSブロックインデックスの少なくともその一部分に基づいて、スクランブルされた情報をデスクランブルするように構成されてもよい。
【００９１】
上で論じられたように、データはPUSCHのためのものであってもよく、制御情報はPUCCHのためのものであってもよい。送信構成要素1110は、情報のためのアップリンクグラントをUE1150に送信するように構成されてもよく、アップリンクグラントはSSブロックインデックスと関連付けられる。代わりに、SSブロックインデックス決定構成要素1108は、SSブロックインデックスを送信構成要素1110に提供してもよく、送信構成要素1110は、情報をスクランブルするためのSSブロックインデックスを示すSSブロックインデックス情報をUE1150に送信してもよい。SSブロックインデックススクランブラ/デスクランブラ構成要素1106は、SSブロックインデックスの少なくとも一部分に少なくとも一部基づくシーケンス初期化に基づいてスクランブリングシーケンスを生成することによって、情報をスクランブルするように構成されてもよく、スクランブリングの前の情報には符号化と符号化解除のうちの少なくとも1つが行われ、情報は、生成されたスクランブリングシーケンスに基づいてスクランブルされる。
【００９２】
装置は、図9の上述のフローチャート900、950におけるアルゴリズムのブロックの各々を実行する追加の構成要素を含んでもよい。したがって、上述の図9のフローチャート900、950における各ブロックは構成要素によって実行されてもよく、装置はそれらの構成要素のうちの1つまたは複数を含んでもよい。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００９３】
図12は、処理システム1214を利用する装置1102'のハードウェア実装形態の例を示す図1200である。処理システム1214は、バス1224によって全般に表されるバスアーキテクチャで実装されてもよい。バス1224は、処理システム1214の具体的な適用例および全体的な設計制約に応じて、任意の数の相互接続するバスおよびブリッジを含んでもよい。バス1224は、プロセッサ1204によって表される1つまたは複数のプロセッサおよび/またはハードウェア構成要素と、構成要素1104、1106、1108、1110と、コンピュータ可読媒体/メモリ1206とを含む様々な回路を互いにつなぐ。バス1224はまた、タイミングソース、周辺装置、電圧調整器、および電力管理回路などの、様々な他の回路をつなぐことがあるが、これらの回路は当技術分野においてよく知られており、したがって、これらの回路はこれ以上説明されない。
【００９４】
処理システム1214は、トランシーバ1210に結合されてもよい。トランシーバ1210は、1つまたは複数のアンテナ1220に結合される。トランシーバ1210は、送信媒体を介して様々な他の装置と通信するための手段を提供する。トランシーバ1210は、1つまたは複数のアンテナ1220から信号を受信し、受信された信号から情報を抽出し、抽出された情報を処理システム1214、特に受信構成要素1104に与える。加えて、トランシーバ1210は、処理システム1214、特に送信構成要素1110から情報を受信し、受信された情報に基づいて、1つまたは複数のアンテナ1220に印加されるべき信号を生成する。処理システム1214は、コンピュータ可読媒体/メモリ1206に結合されたプロセッサ1204を含む。プロセッサ1204は、コンピュータ可読媒体/メモリ1206に記憶されたソフトウェアの実行を含む、一般的な処理を担う。ソフトウェアは、プロセッサ1204によって実行されると、任意の特定の装置に対して、上で説明された様々な機能を処理システム1214に実行させる。コンピュータ可読媒体/メモリ1206はまた、ソフトウェアを実行するときにプロセッサ1204によって操作されるデータを記憶するために使用されてもよい。処理システム1214は、構成要素1104、1106、1108、1110のうちの少なくとも1つをさらに含む。それらの構成要素は、プロセッサ1204内で動作し、コンピュータ可読媒体/メモリ1206の中に存在する/記憶されたソフトウェア構成要素、プロセッサ1204に結合された1つまたは複数のハードウェア構成要素、またはそれらの何らかの組合せであってもよい。処理システム1214は、基地局310の構成要素であってもよく、メモリ376、ならびに/または、TXプロセッサ316、RXプロセッサ370、およびコントローラ/プロセッサ375のうちの少なくとも1つを含んでもよい。
【００９５】
一構成では、ワイヤレス通信のための装置1102/1102'は基地局であり、送信のためのSSブロックと関連付けられるSSブロックインデックスを決定するための手段を含んでもよい。加えて、装置は、決定されたSSブロックインデックスの少なくとも一部分に基づいて情報をスクランブルするための手段を含んでもよく、この情報は、基準信号、データ、ページング情報、制御情報、ブロードキャスト情報、または制御情報と関連付けられるCRCのうちの少なくとも1つを含む。さらに、装置は、SSブロックおよびスクランブルされた情報を送信するための手段を含んでもよい。一構成では、スクランブルされた情報は、SSブロックインデックスの少なくともその一部分に基づいてスクランブルされたCRCを含み、CRCは、UEに送信される制御情報のためのものである。そのような構成では、装置はさらに、基準信号のQCLに関連してUEによって使用されるべきSSブロックを決定するための手段を含んでもよい。CRCは、基準信号のQCLに関連してUEによって使用されるべき決定されたSSブロックのSSブロックインデックスの少なくともその一部分に基づいて、スクランブルされてもよい。一構成では、情報をスクランブルするための手段は、SSブロックインデックスの少なくともその一部分に少なくとも一部基づくシーケンス初期化に基づいてスクランブリングシーケンスを生成するように構成されてもよく、スクランブリングの前の情報には、符号化と符号化解除のうちの少なくとも1つが行われ、情報は、生成されたスクランブリングシーケンスに基づいてスクランブルされる。
【００９６】
一構成では、ワイヤレス通信のための装置1102/1102'は基地局であり、SSブロックインデックスの少なくとも一部分に基づいてスクランブルされる情報をUEから受信するための手段を含んでもよく、スクランブルされる情報はデータまたは制御情報のうちの少なくとも1つを含む。装置はさらに、SSブロックインデックスの少なくともその一部分に基づいて、スクランブルされた情報をデスクランブルするための手段を含んでもよい。一構成では、装置はさらに、情報のためのアップリンクグラントをUEに送信するための手段を含み、アップリンクグラントはSSブロックインデックスと関連付けられる。一構成では、装置はさらに、情報をスクランブルするためのSSブロックインデックスを示すSSブロックインデックス情報をUEに送信するための手段を含んでもよい。
【００９７】
上述の手段は、上述の手段によって列挙された機能を実行するように構成された装置1102および/または装置1102'の処理システム1214の上述のコンポーネントのうちの1つまたは複数であってもよい。上で説明されたように、処理システム1214は、TXプロセッサ316と、RXプロセッサ370と、コントローラ/プロセッサ375とを含んでもよい。したがって、一構成では、上述の手段は、上述の手段によって列挙された機能を実行するように構成されたTXプロセッサ316、RXプロセッサ370、およびコントローラ/プロセッサ375であってもよい。
【００９８】
図13は、例示的な装置1302における異なる手段/構成要素間のデータフローを示す概念データフロー図1300である。装置は、UE104、404、702、804などのUEであってもよい。装置は、SSブロックと、SSブロックと関連付けられるSSブロックインデックスの少なくとも一部分に基づいてスクランブルされた情報とを受信するように構成される、受信構成要素1304を含む。SSブロックは、PSS、SSS、またはPBCHのうちの少なくとも1つを含んでもよい。この情報は、基準信号、データ、ページング情報、制御情報、ブロードキャスト情報、または制御情報と関連付けられるCRCのうちの少なくとも1つを含む。受信構成要素1304は、スクランブルされた情報をSSブロックインデックススクランブラ/デスクランブラ構成要素1306に提供してもよい。SSブロックインデックススクランブラ/デスクランブラ構成要素1306は、SSブロックインデックスの少なくともその一部分に基づいて、スクランブルされた情報をデスクランブルするように構成されてもよい。
【００９９】
基準信号は、CSI-RS、MRS、DMRS(たとえば、PDCCH、PDSCH、またはPBCHのための)、またはPT-RSのうちの少なくとも1つであってもよい。データはPDSCHのためのものであってもよく、ページング情報はPCHのためのものであり、制御情報はPDCCHのためのものであってもよく、ブロードキャスト情報はPBCHのためのものであってもよい。
【０１００】
スクランブルされた情報は、SSブロックインデックスの少なくともその一部分に基づいてスクランブルされたCRCを含んでもよい。そのような構成では、SSブロックインデックススクランブラ/デスクランブラ構成要素1306は、SSブロックインデックスの少なくともその一部分に基づいてCRCをデスクランブルし、デスクランブルされたCRCに基づいて受信された制御情報を復号することによって、SSブロックインデックスの少なくともその一部分に基づいてスクランブルされた情報をデスクランブルするように構成されてもよい。装置はさらに、CRCをデスクランブルするために使用されるSSブロックインデックスの少なくともその一部分に基づいてQCLパラメータを決定するように構成される、QCL構成要素1312を含んでもよい。
【０１０１】
装置はさらに、受信のためのSSブロックと関連付けられるSSブロックインデックスを決定するように構成される、SSブロックインデックス決定構成要素1308を含んでもよい。SSブロックインデックス決定構成要素1308は、SSブロックインデックスを決定するために、受信構成要素1304からSSブロックインデックス情報を受信してもよい。SSブロックインデックス決定構成要素1308は、決定されたSSブロックインデックスをSSブロックインデックススクランブラ/デスクランブラ構成要素1306に提供してもよい。SSブロックインデックススクランブラ/デスクランブラ構成要素1306は、決定されたSSブロックインデックスの少なくともその一部分に基づいて情報をスクランブルするように構成されてもよい。この情報は、データ、制御情報、または制御情報と関連付けられるCRCのうちの少なくとも1つを含んでもよい。SSブロックインデックススクランブラ/デスクランブラ構成要素1306は、スクランブルされた情報を送信構成要素1310に提供してもよい。送信構成要素1310は、基地局1350にスクランブルされた情報を送信するように構成されてもよい。
【０１０２】
データはPUSCHのためのものであってもよく、制御情報はPUCCHのためのものであってもよい。受信構成要素1304は、基地局1350からアップリンクグラントを受信するように構成されてもよい。SSブロックインデックス決定構成要素1308は、アップリンクグラントに基づいてSSブロックインデックスを決定してもよい。代わりに、受信構成要素1304は、SSブロックインデックスを示すSSブロックインデックス情報を基地局1350から受信するように構成されてもよい。受信構成要素1304は、SSブロックインデックス決定構成要素1308がSSブロックインデックスを決定し得るように、SSブロックインデックス情報をSSブロックインデックス決定構成要素1308に提供してもよい。SSブロックインデックススクランブラ/デスクランブラ構成要素1306は、SSブロックインデックスの少なくともその一部分に少なくとも一部基づくシーケンス初期化に基づいてスクランブリングシーケンスを生成することによって、情報をスクランブルするように構成されてもよい。スクランブリングの前の情報には、符号化または符号化解除のうちの少なくとも1つが行われてもよく、この情報は、生成されたスクランブリングシーケンスに基づいてスクランブルされてもよい。
【０１０３】
装置は、図10の上述のフローチャートにおけるアルゴリズムのブロックの各々を実行する追加の構成要素を含んでもよい。したがって、上述の図10のフローチャートにおける各ブロックは構成要素によって実行されてもよく、装置はそれらの構成要素のうちの1つまたは複数を含んでもよい。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１０４】
図14は、処理システム1414を利用する装置1302'のハードウェア実装形態の例を示す図1400である。処理システム1414は、バス1424によって全般に表されるバスアーキテクチャで実装されてもよい。バス1424は、処理システム1414の具体的な適用例および全体的な設計制約に応じて、任意の数の相互接続するバスおよびブリッジを含んでもよい。バス1424は、プロセッサ1404によって表される1つまたは複数のプロセッサおよび/またはハードウェア構成要素と、構成要素1304、1306、1308、1310、1312と、コンピュータ可読媒体/メモリ1406とを含む様々な回路を互いにつなぐ。バス1424はまた、タイミングソース、周辺装置、電圧調整器、および電力管理回路などの、様々な他の回路をつなぐことがあるが、これらの回路は当技術分野においてよく知られており、したがって、これらの回路はこれ以上説明されない。
【０１０５】
処理システム1414は、トランシーバ1410に結合されてもよい。トランシーバ1410は、1つまたは複数のアンテナ1420に結合される。トランシーバ1410は、送信媒体を介して様々な他の装置と通信するための手段を提供する。トランシーバ1410は、1つまたは複数のアンテナ1420から信号を受信し、受信された信号から情報を抽出し、抽出された情報を処理システム1414、特に受信構成要素1304に与える。加えて、トランシーバ1410は、処理システム1414から、特に送信構成要素1310から情報を受信し、受信された情報に基づいて、1つまたは複数のアンテナ1420に印加されるべき信号を生成する。処理システム1414は、コンピュータ可読媒体/メモリ1406に結合されたプロセッサ1404を含む。プロセッサ1404は、コンピュータ可読媒体/メモリ1406に記憶されたソフトウェアの実行を含む、一般的な処理を担う。ソフトウェアは、プロセッサ1404によって実行されると、任意の特定の装置に対して、上で説明された様々な機能を処理システム1414に実行させる。コンピュータ可読媒体/メモリ1406はまた、ソフトウェアを実行するときにプロセッサ1404によって操作されるデータを記憶するために使用されてもよい。処理システム1414は、構成要素1304、1306、1308、1310、1312のうちの少なくとも1つをさらに含む。構成要素は、プロセッサ1404の中で実行するソフトウェア構成要素であるか、コンピュータ可読媒体/メモリ1406の中に常駐する/記憶されるか、プロセッサ1404に結合された1つもしくは複数のハードウェア構成要素であるか、またはそれらの何らかの組合せであってもよい。処理システム1414は、UE350の構成要素であることがあり、メモリ360、ならびに/またはTXプロセッサ368、RXプロセッサ356、およびコントローラ/プロセッサ359のうちの少なくとも1つを含むことがある。
【０１０６】
一構成では、ワイヤレス通信のための装置1302/1302'はUEであり、SSブロックと、SSブロックと関連付けられるSSブロックインデックスの少なくとも一部分に基づいてスクランブルされた情報とを受信するための手段を含んでもよい。この情報は、基準信号、データ、ページング情報、制御情報、ブロードキャスト情報、または制御情報と関連付けられるCRCのうちの少なくとも1つを含む。装置はさらに、SSブロックインデックスの少なくともその一部分に基づいて、スクランブルされた情報をデスクランブルするための手段を含んでもよい。一構成では、スクランブルされた情報は、SSブロックインデックスの少なくともその一部分に基づいてスクランブルされたCRCを含み、SSブロックインデックスの少なくともその一部分に基づいて、スクランブルされた情報をデスクランブルするための手段は、SSブロックインデックスの少なくともその一部分に基づいてCRCをデスクランブルし、デスクランブルされたCRCに基づいて受信された制御情報を復号するように構成される。そのような構成では、装置はさらに、CRCをデスクランブルするために使用されるSSブロックインデックスの少なくともその一部分に基づいてQCLパラメータを決定するための手段を含んでもよい。
【０１０７】
一構成では、ワイヤレス通信のための装置1302/1302'はUEであり、受信のためのSSブロックと関連付けられるSSブロックインデックスを決定するための手段を含んでもよい。装置はさらに、決定されたSSブロックインデックスの少なくとも一部分に基づいて情報をスクランブルするための手段を含んでもよい。この情報は、データ、制御情報、または制御情報と関連付けられるCRCのうちの少なくとも1つを含んでもよい。装置はさらに、スクランブルされた情報を基地局に送信するための手段を含んでもよい。
【０１０８】
一構成では、装置はさらに、基地局からアップリンクグラントを受信するための手段を含んでもよく、SSブロックインデックスはアップリンクグラントに基づいて決定される。一構成では、装置はさらに、SSブロックインデックスを示す情報を基地局から受信するための手段を含んでもよい。一構成では、情報をスクランブルするための手段は、SSブロックインデックスの少なくとも一部分に少なくとも一部基づくシーケンス初期化に基づいてスクランブリングシーケンスを生成するように構成されてもよく、スクランブリングの前の情報には、符号化と符号化解除のうちの少なくとも1つが行われ、情報は、生成されたスクランブリングシーケンスに基づいてスクランブルされる。
【０１０９】
上述の手段は、上述の手段によって列挙された機能を実行するように構成された装置1302および/または装置1302'の処理システム1414の上述のコンポーネントのうちの1つまたは複数であってもよい。上で説明されたように、処理システム1414は、TXプロセッサ368と、RXプロセッサ356と、コントローラ/プロセッサ359とを含んでもよい。したがって、一構成では、上述の手段は、上述の手段によって列挙された機能を実行するように構成されたTXプロセッサ368、RXプロセッサ356、およびコントローラ/プロセッサ359であってもよい。
【０１１０】
上で論じられたように、基地局/UEは、SSブロックインデックスの少なくとも一部分(サブセット)に基づいて情報をスクランブル/デスクランブルしてもよく、SSブロックインデックスは、SSバーストセット内のあるSSバースト内の特定のSSブロックをインデックス化する。SSブロックインデックスは、SSバーストセット内のSSバースト内の特定のSSブロックインデックスを示すための1つまたは複数の値であってもよい。この情報は、送信される前にスクランブルされてもよく、または受信された後でデスクランブルされてもよい。情報を送信する基地局の場合、この情報は、基準信号、データ、ページング情報、制御情報、ブロードキャスト情報、または制御情報と関連付けられるCRCのうちの少なくとも1つであってもよい。情報を送信するUEの場合、この情報は、データ、制御情報、または制御情報と関連付けられるCRCのうちの少なくとも1つであってもよい。
【０１１１】
開示されたプロセス/フローチャートにおけるブロックの特定の順序または階層は例示的な手法の例示であることを理解されたい。設計上の選好に基づいて、プロセス/フローチャートにおけるブロックの特定の順序または階層が再構成されることがあることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０１１２】
上述の説明は、本明細書で説明された様々な態様を当業者が実践できるようにするために提供される。これらの態様の様々な変更が、当業者には容易に明らかになり、本明細書において規定される一般原理は、他の態様に適用されることがある。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語
は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【０１１３】
102  基地局
104  UE
110  地理的カバレッジエリア
120  通信リンク
132  バックホールリンク
134  バックホールリンク
150  AP
152  STA
154  通信リンク
160  EPC
162  MME
164  他のMME
166  サービングゲートウェイ
168  MBMS GW
170  BM-SC
172  PDNゲートウェイ
174  HSS
176  IPサービス
180  gNB
184  ビームフォーミング
192  D2D通信リンク
310  基地局
316  TXプロセッサ
318  トランスミッタ
320  レシーバ
350  UE
352  トランスミッタ
354  レシーバ
356  RXプロセッサ
358  チャネル推定器
359  コントローラ/プロセッサ
360  メモリ
368  TXプロセッサ
370  RXプロセッサ
374  チャネル推定器
375  コントローラ/プロセッサ
376  メモリ
402  基地局
404  UE
702  UE
704  基地局
1102、1102'  装置
1104  受信構成要素
1106  SSブロックインデックススクランブラ/デスクランブラ構成要素
1108  SSブロックインデックス決定構成要素
1110  送信構成要素
1204  プロセッサ
1206  コンピュータ可読媒体/メモリ
1210  トランシーバ
1214  処理システム
1220  アンテナ
1224  バス
1302、1302'  装置
1304  受信構成要素
1306  SSブロックインデックススクランブラ/デスクランブラ構成要素
1308  SSブロックインデックス決定構成要素
1310  送信構成要素
1312  QCL構成要素
1404  プロセッサ
1406  コンピュータ可読媒体/メモリ
1410  トランシーバ
1414  処理システム
1420  アンテナ
1424  バス
【図１】
0006808847.tif 000009
【図２Ａ】
0006808847.tif 000010
【図２Ｂ】
0006808847.tif 000011
【図２Ｃ】
0006808847.tif 000012
【図２Ｄ】
0006808847.tif 000013
【図３】
0006808847.tif 000014
【図４】
0006808847.tif 000015
【図５Ａ】
0006808847.tif 000016
【図５Ｂ】
0006808847.tif 000017
【図６Ａ】
0006808847.tif 000018
【図６Ｂ】
0006808847.tif 000019
【図７】
0006808847.tif 000020
【図８】
0006808847.tif 000021
【図９】
0006808847.tif 000022
【図１０】
0006808847.tif 000023
【図１１】
0006808847.tif 000024
【図１２】
0006808847.tif 000025
【図１３】
0006808847.tif 000026
【図１４】
0006808847.tif 000027